(57)【要約】【課題】ブラインド装置の意匠性を向上させつつ、枠部の設置を容易に行うことができるブラインド装置を提供する。【解決手段】ブラインド枠部２は、開口部の上方に配置されブラインドボックスを収容するブラインド上枠（上枠）２１と、ブラインド上枠２１と連設され開口部の側方に配置されスラットの昇降をガイドするガイドレール２３１が設けられた第１ブラインド縦枠２２および第２ブラインド縦枠（一対の縦枠）と、を有し、ブラインドボックスは、外壁１１に固定された壁固定金具（第１上側壁固定金具３１および第２上側壁固定金具）に支持され、第１ブラインド縦枠２２および第２ブラインド縦枠は、ブラインド枠部２の外周側に位置する外板部２２１と、内周側に位置する第２内板部（内板部）２２６と、を有し、第２内板部２２６の内周側に壁固定金具が配置され、第２内板部２２６は、壁固定金具を介して内周側から固定されている。【選択図】図６
2020114976.tif 000002
【特許請求の範囲】
【請求項１】
外壁に形成された開口部の外周側かつ前記外壁の屋外側に取り付けられるブラインド装置において、
枠部と、
枠部の内側に昇降可能に設けられた多数のスラットと、
前記多数のスラットが取り付けられたブラインドボックスと、を有し、
前記枠部は、前記開口部の上方に配置され前記ブラインドボックスを収容する上枠と、
前記上枠と連設され、前記開口部の側方に配置され前記スラットの昇降をガイドするガイドレールが設けられた一対の縦枠と、を有し、
前記ブラインドボックスは、外壁に固定された壁固定金具に支持され、
前記一対の縦枠は、前記枠部の外周側に位置する外板部と、前記枠部の内周側に位置する内板部と、を有し、前記内板部の内周側に前記壁固定金具が配置され、
前記内板部は、前記壁固定金具を介して内周側から固定されていることを特徴とするブラインド装置。
【請求項２】
前記一対の縦枠には、前記外板部と前記内板部との間に間隙が設けられており、
前記内板部を前記壁固定金具を介して内周側から固定する固定具の一端は、前記間隙に配置される請求項１に記載のブラインド装置。
【請求項３】
前記間隙には、前記固定具を締結する金属板が配置されている請求項２に記載のブラインド装置。
【請求項４】
前記開口部の下方には、一対の縦枠と連設する下枠が設けられておらず、前記枠部が前記上枠と前記一対の縦枠とで枠組みされた三方枠で構成されている請求項１乃至３のいずれか一項に記載のブラインド装置。
【発明の詳細な説明】
【技術分野】
【０００１】
本発明は、ブラインド装置に関する。
【背景技術】
【０００２】
外壁に形成された開口部の外周側かつ外壁の屋外側に取り付けられるブラインド装置が知られている（例えば、特許文献１参照）。
特許文献１に開示されたブラインド装置は、多数のスラットが取り付けられたブラインドボックスを収容する上枠と、スラットの昇降をガイドするガイドレールが設けられた一対の縦枠と、を備える枠部を有している。上枠と一対の縦枠とは、一対の縦枠の上端部に取り付けられた裏板に挿通されたボルトが、上枠の挿通部に挿通されることで連結されている。上枠および一対の縦枠は、それぞれ壁部に固定されている。
【先行技術文献】
【特許文献】
【０００３】
【特許文献１】特開２００７−２３９３２９号公報
【発明の概要】
【発明が解決しようとする課題】
【０００４】
特許文献に開示されたブラインド装置では、上枠と一対の縦枠とを互いに連結し、上枠と一対の縦枠とが連結された枠部を外壁に固定している。このため、枠部の壁部への固定に労力がかかるとういう問題がある。また、一対の縦枠は、壁部に固定されるため、壁部に固定するための固定具が露出し、意匠性が悪いという問題がある。
【０００５】
そこで本発明は、ブラインド装置の意匠性を向上させつつ、枠部の設置を容易に行うことができるブラインド装置を提供することを目的とする。
【課題を解決するための手段】
【０００６】
上記目的を達成するため、本発明に係るブラインド装置は、外壁に形成された開口部の外周側かつ屋外側に突出して取り付けられるブラインド装置において、枠部と、枠部の内側に昇降可能に設けられた多数のスラットと、前記多数のスラットが取り付けられたブラインドボックスと、を有し、前記枠部は、前記開口部の上方に配置され前記ブラインドボックスを収容する上枠と、前記上枠と連設され、前記開口部の側方に配置され前記スラットの昇降をガイドするガイドレールが設けられた一対の縦枠と、を有し、前記ブラインドボックスは、外壁に固定された壁固定金具に支持され、前記一対の縦枠は、前記枠部の外周側に位置する外板部と、前記枠部の内周側に位置する内板部と、を有し、前記内板部の内周側に前記壁固定金具が配置され、前記内板部は、前記壁固定金具を介して内周側から固定されていることを特徴とする。
【０００７】
また、本発明に係るブラインド装置では、前記一対の縦枠には、前記外板部と前記内板部との間に間隙が設けられており、前記内板部を前記壁固定金具を介して内周側から固定する固定具の一端は、前記間隙に配置されていてもよい。
【０００８】
また、本発明に係るブラインド装置では、前記間隙には、前記固定具を締結する金属板が配置されていてもよい。
【０００９】
また、本発明に係るブラインド装置では、前記開口部の下方には、一対の縦枠と連設する下枠が設けられておらず、前記枠部が三方枠で構成されていてもよい。
【発明の効果】
【００１０】
本発明によれば、ブラインド装置の意匠性を向上させつつ、枠部の設置を容易に行うことができる。
【図面の簡単な説明】
【００１１】
【図１】本発明の実施形態によるブラインド装置の一例を示す正面図である。
【図２】図１のＡ−Ａ線断面図である。
【図３】ブラインド装置の斜視図である。
【図４】ブラインド上枠の斜視図である。
【図５】図４のＢ−Ｂ線断面図である。
【図６】ブラインド上枠の内部を示す斜視図である。
【図７】第１ブラインド縦枠の斜視図である。
【図８】第１ブラインド縦枠を上方から見た図である。
【図９】ブラインド上枠の内部を示す図で見込み方向の手前側から見た図である。
【図１０】第１上側端部キャップの斜視図である。
【図１１】第１上側端部キャップの他の方向から見た斜視図である。
【図１２】第１ブラインド縦枠および第１下側端部キャップの斜視図である。
【図１３】第１下側端部キャップの分解斜視図である。
【図１４】第１下側端部キャップの斜視図である。
【図１５】第１下側端部キャップの他の方向から見た斜視図である。
【図１６】第１上側壁固定金具の斜視図である。
【図１７】第１上側壁固定金具の他の方向から見た斜視図である。
【図１８】図２のＣ−Ｃ線断面図である。
【図１９】図２のＤ−Ｄ線断面図である。
【図２０】第１上側壁固定金具に連設されたブラケットの斜視図である。
【発明を実施するための形態】
【００１２】
以下、本発明の実施形態によるブラインド装置について、図１−図２０に基づいて説明する。
図１および図２に示すように、本実施形態によるブラインド装置１は、外壁１１の屋外側に設けられている。外壁１１には、開口部１２が形成され、開口部１２にサッシ１３が取り付けられている。ブラインド装置１は、外壁１１から屋外側に突出し、開口部１２の屋外側に開口部１２と重なるように設けられている。
外壁１１に直交し、屋内と屋外とを結ぶ水平方向を見込み方向とし、外壁１１に沿った水平方向を左右方向とする。以下のブラインド装置１の説明では、ブラインド装置１を外壁１１の屋外から対向して見ているものとし、この状態における左右方向の右側および左側を、そのまま右側および左側と表記し、見込み方向におけるブラインド装置１に対する外壁１１がある側を奥側、外壁１１に対するブラインド装置１がある側を手前側と表記することがある。
【００１３】
本実施形態では、サッシ１３は、サッシ枠１３１と、サッシ枠１３１に左右方向にスライド可能に支持される障子１３２とを有する片引き戸で、障子１３２が左側に移動すると開口部１２の手前側に配置されて開口部１２を閉鎖し、右側に移動すると開口部１２よりも右側に配置され開口部１２を開放するように構成されている。障子１３２が移動可能な範囲を障子移動範囲１３２ａ（図１参照）とする。
【００１４】
図１に示すように、サッシ枠１３１は、障子移動範囲１３２ａの上縁部に沿って設けられ左右方向に延びるサッシ上枠１３３と、障子移動範囲１３２ａの下縁部に沿って設けられ左右方向に延びるサッシ下枠１３４と、障子移動範囲１３２ａの左側の縁部に沿って設けられ上下方向に延びる第１サッシ縦枠１３５と、障子移動範囲１３２ａの右側の縁部に沿って設けられ上下方向に延びる第２サッシ縦枠１３６と、障子移動範囲１３２ａの左右方向の略中央に設けられ上下方向に延びる第３サッシ縦枠１３７と、を有している。
第１サッシ縦枠１３５が設けられる障子移動範囲１３２ａの左側の縁部は、開口部１２の左側の縁部に相当している。第３サッシ縦枠１３７は、開口部１２の右側の縁部に沿って設けられている。
【００１５】
図１−図３に示すように、ブラインド装置１は、開口部１２の縁部に沿って設けられる三方枠のブラインド枠部２と、ブラインド枠部２を外壁１１に固定する壁固定金具３と、ブラインド枠部２の内側に設けられブラインド枠部２の内側を開閉するブラインド本体部４と、を有している。
【００１６】
ブラインド枠部２は、開口部１２の上方に設けられ左右方向に延びるブラインド上枠２１と、開口部１２の左側の縁部に沿って設けられ上下方向に延びる第１ブラインド縦枠２２と、開口部１２の右側の縁部に沿って設けられ上下方向に延びる第２ブラインド縦枠２３と、ブラインド上枠２１の左側の端部および第１ブラインド縦枠２２の上端部を覆う第１上側端部キャップ２４と、ブラインド上枠２１の右側の端部および第２ブラインド縦枠２３の上端部を覆う第２上側端部キャップ２５と、第１ブラインド縦枠２２の下端部を覆う第１下側端部キャップ２６と、第２ブラインド縦枠２３の下端部を覆う第２下側端部キャップ２７と、を有している。
【００１７】
上述しているが、ブラインド枠部２は、ブラインド上枠２１、第１ブラインド縦枠２２、第２ブラインド縦枠２３、および端部キャップ２４−２７で枠組みされた三方枠となっていて、第１ブラインド縦枠２２の下端部と第２ブラインド縦枠２３の下端部とを連結する所謂下枠が設けられていない。
ブラインド上枠２１、第１ブラインド縦枠２２、第２ブラインド縦枠２３は、いずれも長さ方向に直交する断面形状が長さ方向の全体にわたって略同じ形状となるように形成されている。
【００１８】
第１ブラインド縦枠２２と第２ブラインド縦枠２３とは、左右方向に対称となる形状に形成されている。第１上側端部キャップ２４と第２上側端部キャップ２５とは、左右方向に対称となる形状に形成されている。第１下側端部キャップ２６と第２下側端部キャップ２７とは、左右方向に対称となる形状に形成されている。
以下では、第１ブラインド縦枠２２、第１上側端部キャップ２４、第１下側端部キャップ２６について詳細を説明し、第２ブラインド縦枠２３、第２上側端部キャップ２５、第２下側端部キャップ２７については説明を省略する。
【００１９】
また、詳細については後述するが、壁固定金具３は、開口部１２よりも上側で外壁１１に固定されるとともにブラインド上枠２１の左側の端部および第１ブラインド縦枠２２が固定される第１上側壁固定金具３１と、開口部１２よりも上側で外壁１１に固定されるとともにブラインド上枠２１の右側の端部および第２ブラインド縦枠２３が固定される第２上側壁固定金具３２と、開口部１２よりも下側で外壁１１に固定されるとともに第１ブラインド縦枠２２が固定される第１下側壁固定金具３３と、開口部１２よりも下側で外壁１１に固定されるとともに第２ブラインド縦枠２３が固定される第２下側壁固定金具３４と、を有している。
【００２０】
第１上側壁固定金具３１と第２上側壁固定金具３２とは、左右方向に対称となる形状に形成されている。第１下側壁固定金具３３と第２下側壁固定金具３４とは、左右方向に対称となる形状に形成されている。
壁固定金具３についても、第１上側壁固定金具３１および第１下側壁固定金具３３について詳細を説明し、第２上側壁固定金具３２および第２下側壁固定金具３４については説明を省略する。
【００２１】
なお、第２ブラインド縦枠２３、第２上側端部キャップ２５、第２下側端部キャップ２７、第２下側壁固定金具３４および第２下側壁固定金具３４の配置は、第１ブラインド縦枠２２、第１上側端部キャップ２４、第１下側端部キャップ２６、第１下側壁固定金具３３および第１下側壁固定金具３３と左右方向に対称となるように配置されている。
【００２２】
図２、図４および図５に示すように、ブラインド上枠２１は、外壁１１（図２参照）に当接し外壁１１から見込み方向の手前側に突出するように配置される第１上枠部５１と、第１上枠部５１の手見込み方向の前側の先端部に連結されこの先端部から見込み方向の手前側に突出する第２上枠部５２と、第２上枠部５２に着脱可能に構成され、第２上枠部５２に取り付けられると第２上枠部５２の見込み方向の手前側の端部から下側に突出するように配置される上枠前板部５３と、を有している。
【００２３】
図５に示すように、第１上枠部５１は、略平板状に形成され板面が略上下方向を向き上側に配置される第１上枠上板部５１１と、第１上枠上板部５１１の下側に間隔をあけて配置される第１上枠下板部５１２と、第１上枠上板部５１１と第１上枠下板部５１２の見込み方向の奥側の端部を連結する第１上枠後板部５１３と、第１上枠上板部５１１と第１上枠下板部５１２の見込み方向の手前側の端部近傍を連結する第１上板前板部５１４と、第１上枠下板部５１２の見込み方向の奥側の端部近傍から下側に延びる壁固定片５１５と、を有している。
【００２４】
第１上板前板部５１４は、第１上枠上板部５１１と第１上枠下板部５１２の見込み方向の手前側の端部よりも奥側に配置されている。第１上枠上板部５１１と第１上枠下板部５１２の見込み方向の手前側の端部は、第１上板前板部５１４よりも手前側に突出している。第１上枠上板部５１１の第１上板前板部５１４よりも手前側に突出している部分を上板突出片５１１ａとし、第１上枠下板部５１２の第１上板前板部５１４よりも手前側に突出している部分を下板突出片５１２ａとする。
第１上枠部５１には、第１上枠上板部５１１、第１上枠下板部５１２、第１上板前板部５１４および第１上枠後板部５１３に囲まれた上枠中空部５１６が形成されている。
第１上枠部５１は、第１上枠後板部５１３および壁固定片５１５が外壁１１（図２参照）と当接するように配置され、壁固定片５１５が外壁１１にネジなどの固定具で固定される。
【００２５】
第２上枠部５２は、略平板状に形成され板面が略上下方向を向き上側に配置される第２上枠上板部５２１と、第２上枠上板部５２１の後側の縁部近傍から下側に延びる第２上枠後板部５２２と、第２上枠上板部５２１の見込み方向の手前側の端部から下側に延びる第２上枠前板部５２３と、第２上枠上板部５２１の見込み方向の手前側の端部近傍で第２上枠前板部５２３よりも見込み方向の奥側となる位置から下側に延びる第２上枠中板部５２４と、を有している。
【００２６】
第２上枠上板部５２１は、見込み方向の奥側の端部が第２上枠後板部５２２よりも見込み方向の奥側に突出している。第２上枠上板部５２１における第２上枠後板部５２２よりも見込み方向の奥側に突出している部分を上板突出片５２１ａとする。
第２上枠後板部５２２は、第２上枠上板部５２１から下側に延びる第１片５２２ａと、第１片５２２ａから見込み方向の奥側に延びる第２片５２２ｂとを有している。
第２上枠前板部５２３は、第２上枠上板部５２１から下側に延びる第３片５２３ａと、第３片５２３ａから見込み方向の奥側に延びる第４片５２３ｂとを有している。
第２上枠中板部５２４は、第２上枠上板部５２１から下側に延びる第５片５２４ａと、第５片５２４ａから見込み方向の手前側に向かって漸次前側に向かう斜め方向に延びる第６片５２４ｂと、第６片５２４ｂから下側に延びる第７片５２４ｃと、を有している。
【００２７】
第１上枠部５１と第２上枠部５２とは、第１上枠部５１の上板突出片５１１ａと第２上枠部５２の上板突出片５２１ａとが上下に重なって係合し、第１上枠部５１の下板突出片５１２ａと第２上枠部５２の第２上枠後板部５２２の第３片５２３ａとが重なってネジなどの固定具で固定されることで連結されている。なお、第１上枠部５１と第２上枠部５２とは、ネジで固定されていなくてもよいし、連結されていなくてもよい。また、第１上枠部５１および第２上枠部５２の代わりに、第１上枠部５１と第２上枠部５２とが一体となった部材が設けられていてもよい。
第１上枠部５１と第２上枠部５２とが連結されると、第１上枠部５１の第１上枠上板部５１１と第２上枠部５２の第２上枠上板部５２１とが段差なく連続している。連続する第１上枠上板部５１１および第２上枠上板部５２１は、見込み方向の手前側よりも奥側が高くなるように緩く傾斜している。
【００２８】
上枠前板部５３は、略平板状に形成され板面が見込み方向を向く姿勢で配置される本体部５３１と、本体部５３１の上縁部に連続して設けられた被係止部５３２と、本体部５３１の下端部から見込み方向の奥側に突出する第１突出片５３３と、本体部５３１の下端部近傍で第１突出片５３３よりも上側から見込み方向の奥側に突出する第２突出片５３４と、を有している。
【００２９】
被係止部５３２は、見込み方向の手前側に開口するＣ字形状に形成されている。上枠前板部５３は、被係止部５３２が第２上枠部５２の第２上枠前板部５２３の第４片５２３ｂに引っ掛けられるとともに、第２上枠部５２の第２上枠中板部５２４の第６片５２４ｂの上側に載置されることで第２上枠部５２に係止される。このとき、上枠前板部５３の本体部５３１の上縁部分は、第２上枠部５２の第２上枠中板部５２４の第７片５２４ｃの見込み方向の前側の面に当接している。
上枠前板部５３は、第２上枠部５２に着脱可能に構成されている。
【００３０】
図７および図８に示すように、第１ブラインド縦枠２２は、上下方向に延びる部材で、水平断面が長尺に形成され、その水平断面が見込み方向に延びる向きに配置されている。
第１ブラインド縦枠２２は、板状に形成され板面が略左右方向を向き左側に配置される外板部２２１と、外板部２２１の見込み方向の奥側の縁部から右側に延びる後板部２２２と、後板部２２２の左側の端部から見込み方向の手前側に延びる第１内板部２２３と、第１内板部２２３の見込み方向の手前側の端部から左側に延びて外板部２２１と接続される第１中板部２２４と、外板部２２１の見込み方向の手前側の端部から右側に延びる前板部２２５と、前板部２２５の右側の端部から見込み方向の奥側に延びる第２内板部２２６と、第２内板部２２６の見込み方向の奥側の端部から左側に延びて外板部２２１と接続される第２中板部２２７と、を有している。第１中板部２２４は、第２中板部２２７の見込み方向の手前側に間隔をあけて配置されている。
【００３１】
第１ブラインド縦枠２２には、外板部２２１、後板部２２２、第１内板部２２３および第１中板部２２４に囲まれた第１中空部２２８が形成されているとともに、外板部２２１、前板部２２５、第２内板部２２６および第２中板部２２７に囲まれた第２中空部２２９が形成されている。
第１ブラインド縦枠２２には、第１上側壁固定金具３１を固定するための固定具６１（図２および図６参照）が固定される金属板２８が設けられている。金属板２８は、第２中空部２２９に配置され、第２内板部２２６の上端部分における左側（第２中空部２２９側）の面に取り付けられている。
金属板２８は板面が長方形となる平板状に形成され、板面が左右方向を向く向きで第２内板部２２６に取り付けられている。
【００３２】
第１内板部２２３には、下端部分に、第１下側端部キャップ２６、第１下側壁固定金具３３および第１内板部２２３を固定するための固定具６２（図２参照）が挿通される孔部２２３ａ（図７参照）が形成されている。
【００３３】
第２内板部２２６の上端部分には、後述する第１上側壁固定金具３１の第３突出片３１１ｄが挿入される第１孔部２２６ａが形成されている。
また、第２内板部２２６の上端部分には、第２内板部２２６と金属板２８とを固定するための固定具２８ｃが挿通される第２孔部２２６ｂと、第１上側壁固定金具３１を第１ブラインド縦枠２２に固定するための固定具６１が挿通される２つの第３孔部２２６ｃ，２２６ｃと、が形成されている。
【００３４】
金属板２８には、第１上側壁固定金具３１を固定するための固定具６１が挿通される２つの第１孔部２８ａと、金属板２８を第２内板部２２６に固定するための固定具２８ｃが挿通される第２孔部２８ｂ，２８ｂと、が形成されている。金属板２８は、第１孔部２８ａが第２内板部２２６の第２孔部２２６ｂと重なり、第２孔部２８ｂ，２８ｂが第２内板部２２６の第３孔部２２６ｃと重なるように第２内板部２２６に対して配置され、金属板２８の第１孔部２８ａおよび第２内板部２２６の第２孔部２２６ｂに挿通された固定具２８ｃで第２内板部２２６に固定されている。
【００３５】
第１ブラインド縦枠２２には、第１中板部２２４、第２中板部２２７および外板部２２１に囲まれた右側に開口する溝部２３０が形成されている。この溝部２３０がスラット４１の上下方向の移動をガイドするガイドレール２３１となっている。ガイドレール２３１には、スラット４１の長さ方向の端部に設けられたガイドピンが挿入される。ガイドレール２３１には、ガイドピンが移動しやすいよう滑り材２３２が設けられている。
第１ブラインド縦枠２２および第２ブラインド縦枠２３は、見込み方向の寸法がスラット４１の見込み方向の寸法よりも大きく設定されている。
【００３６】
図９に示すように、ブラインド上枠２１と第１ブラインド縦枠２２とは、ブラインド上枠２１が第１ブラインド縦枠２２の右側に位置し、ブラインド上枠２１の第１上枠部５１および第２上枠部５２の第２上枠上板部５２１が、第１ブラインド縦枠２２の上端部２２ａより上側となるように配置されている。ブラインド上枠２１の第２上枠部５２の第２上枠前板部５２３は、第１ブラインド縦枠２２の右側に配置されている。第１ブラインド縦枠２２の鉛直方向の上側には、ブラインド上枠２１は、配置されていない。
このため、ブラインド上枠２１と第１ブラインド縦枠２２とが正位置に配置されただけでは、ブラインド上枠２１の上端部および第１ブラインド縦枠２２の左側の端部がそれぞれ露出した状態となる。このため、ブラインド上枠２１の上枠中空部５１６（図５参照）および第１ブラインド縦枠２２の第１中空部２２８、第２中空部２２９および溝部２３０（図８参照）も露出している。
このため、ブラインド上枠２１の上端部と第１ブラインド縦枠２２の左側の端部を覆うように第１上側端部キャップ２４が設けられる。第１上側端部キャップ２４によって、ブラインド上枠２１の上枠中空部５１６および第１ブラインド縦枠２２の第１中空部２２８、第２中空部２２９および溝部２３０に雨やほこりなどが入り込むことを防止することができる。
図９では、ブラインド上枠２１の上枠前板部５３を省略している。
【００３７】
図２に示すように、ブラインド上枠２１の見込み方向の手前側の端部（第２上枠前板部５２３）と、第１ブラインド縦枠２２および第２ブラインド縦枠２３の見込み方向の手前側の端部（前板部２２５）とは、見込み方向の位置が同じ位置となるように配置されている。
ブラインド上枠２１の見込み方向の奥側の端部（第１上枠後板部５１３）は、第１ブラインド縦枠２２の見込み方向の奥側の端部（後板部２２２の見込み方向の奥側の面２２２ａ）よりも見込み方向の奥側に位置している。
ブラインド上枠２１の見込み方向の奥側の端部は、外壁１１と当接している。第１ブラインド縦枠２２の見込み方向の奥側の端部は、外壁１１と離間し、外壁１１との間に隙間２２ｂ（図２参照）が形成されている。
ブラインド上枠２１と第２ブラインド縦枠２３とは、ブラインド上枠２１と第１ブラインド縦枠２２との配置と左右方向に対称となるように配置されている。第２ブラインド縦枠２３の見込み方向の奥側の端部も外壁１１と離間し、外壁１１との間に隙間が形成されている。第２ブラインド縦枠２３と外壁１１との隙間は、サッシ１３のサッシ上枠１３３およびサッシ下枠１３４を配置でき、障子１３２が通過できるように構成されている。
【００３８】
図９に示すように、本実施形態では、ブラインド上枠２１の第２上枠部５２の第２上枠前板部５２３の左側に第１ブラインド縦枠２２の前板部２２５が連続して配置され、ブラインド上枠２１の第２上枠部の第２上枠前板部５２３の右側に第２ブラインド縦枠２３の前板部２２５が連続して配置されている。
第２上枠前板部５２３の上下方向の寸法、第１ブラインド縦枠２２の前板部２２５の左右方向の寸法、および第２ブラインド縦枠２３の前板部２２５の左右方向の寸法は、同じ寸法に設定されている。このため、見込み方向の手前側から見て、第２上枠前板部５２３は、第１ブラインド縦枠２２の前板部２２５および第２ブラインド縦枠２３の前板部２２５と連続しているように見える。
【００３９】
図６、図１０および図１１に示すように、第１上側端部キャップ２４は、見込み方向に延びる棒状に形成されブラインド上枠２１の第１上枠部５１および第２上枠部５２（図６参照）の左側に配置される上枠カバー部２４１と、上枠カバー部２４１の見込み方向の手前側の部分から左側に突出し第１ブラインド縦枠２２（図６参照）の上側に配置される縦枠カバー部２４２と、上枠カバー部２４１の見込み方向の手前側の端部から下側に延びる第１側板部２４３と、上枠カバー部２４１の見込み方向の奥側の部分から下側に延びる第２側板部２４４と、を有している。第１上側端部キャップ２４は、例えば、樹脂を材料として形成されている。
【００４０】
上枠カバー部２４１は、見込み方向の長さがブラインド上枠２１の見込み方向の長さと同じ寸法に設定されている。上枠カバー部２４１は、見込み方向の両端部がブラインド上枠２１の見込み方向の両端部の左側に重なるように配置される。
縦枠カバー部２４２は、見込み方向の長さが第１ブラインド縦枠２２の見込み方向の長さと同じ寸法に設定されている、縦枠カバー部２４２は、見込み方向の両端部が第１ブラインド縦枠２２の見込み方向の両端部の上側に重なるように配置される。
第１側板部２４３と第２側板部２４４とは、見込み方向に離間している。
第１側板部２４３には、見込み方向の中央部に右側に突出する第１突出片２４３ａ（図１０参照）が設けられている。第１突出片２４３ａは、長尺の平板状に形成され、板面が見込み方向を向き、上下方向に延びる向きに配置されている。
【００４１】
第２側板部２４４は、見込み方向の手前側の端部２４４ｃが上枠カバー部２４１の見込み方向の中間部の下側に位置し、見込み方向の奥側の端部２４４ｂが上枠カバー部２４１の見込み方向の奥側の端部の下側に位置している。第２側板部２４４は、見込み方向の奥側の端部２４４ｂがブラインド上枠２１の見込み方向の奥側の端部（後板部２２２）の左側に位置し、見込み方向の手前側の端部２４４ｃが第１ブラインド縦枠２２の第１中板部２２４の右側に配置される。第２側板部２４４は、第１ブラインド縦枠２２の溝部２３０と重ならないように配置される。なお、第１上側端部キャップ２４は、第２側板部２４４以外の部分も第１ブラインド縦枠２２の溝部２３０と重ならないように配置される。
第２側板部２４４には、見込み方向の奥側における下部側から右側に突出する第２突出片２４４ａ（図１０参照）が設けられている。第２突出片２４４ａは、平板状に形成され、板面が水平面となる向きに配置されている。
【００４２】
第１上側端部キャップ２４は、上枠カバー部２４１の見込み方向の奥側の端部２４１ａおよび第２側板部２４４の見込み方向の奥側の端部２４４ｂが外壁１１と当接し、縦枠カバー部２４２の見込み方向の奥側の端部２４２ａが外壁１１と離間するように配置される。
【００４３】
図１２−図１５に示すように、第１下側端部キャップ２６は、第１ブラインド縦枠２２（図１２参照）の下側に配置される縦枠カバー部２６１と、縦枠カバー部２６１の見込み方向の奥側に一体に設けられる後側カバー部２６２と、縦枠カバー部２６１から上側に突出し、第１ブラインド縦枠２２および第１下側壁固定金具３３と固定される固定片２６３と、後側カバー部２６２の上側を覆う上側カバー部２６６と、を有している。
第１下側端部キャップ２６は、例えば、樹脂を材料として形成されている。
縦枠カバー部２６１、後側カバー部２６２および固定片２６３は、一体に形成されている。図１２および図１３では、縦枠カバー部２６１と後側カバー部２６２との境界部分を破線で示している。
【００４４】
縦枠カバー部２６１は、第１ブラインド縦枠２２の平面視形状に対応した見込み方向に延びる長尺に形成されている。縦枠カバー部２６１は、第１ブラインド縦枠２２のガイドレール２３１（溝部２３０）の下側に配置されていて、ガイドレール２３１が縦枠カバー部２６１の下方と遮断されている。このため、ガイドレール２３１を移動するスラット４１および巾木４４のガイドピンがガイドレール２３１から下側に落下することがなく、スラット４１および巾木４４がブラインド枠部２から外れることが防止される。
縦枠カバー部２６１には、上側に突出し、第１ブラインド縦枠２２の第２中空部２２９に挿し込まれる突出部２６１ａが形成されている。
縦枠カバー部２６１は、見込み方向の長さが第１ブラインド縦枠２２の見込み方向の長さと同じ寸法に設定されている、縦枠カバー部２６１は、見込み方向の両端部が第１ブラインド縦枠の見込み方向の両端部の下側に重なるように配置される。
【００４５】
固定片２６３は、縦枠カバー部２６１の右側の縁部から上側に延び、板面が左右方向を向く平板状に形成されている。
固定片２６３は、第１ブラインド縦枠２２の第１内板部２２３の左側に配置されている。固定片２６３は、第１ブラインド縦枠２２の溝部２３０と重ならないように配置される。
固定片２６３は、第１ブラインド縦枠２２の第１内板部２２３および縦枠側固定金具３３２の縦枠固定部３３５と固定される。固定片２６３には、固定片２６３、第１ブラインド縦枠２２の第１内板部２２３および縦枠側固定金具３３２の縦枠固定部３３５を固定する固定具６２が挿通される孔部２６３ａが形成されている。
【００４６】
後側カバー部２６２は、縦枠カバー部２６１の見込み方向の奥側の端部から連続して見込み方向の奥側に延びる延設部２６４と、延設部２６４の見込み方向の奥側の部分から左側に延びる内側突出部２６５と、を有している。
後側カバー部２６２には、延設部２６４および内側突出部２６５の両方に、上側カバー部２６６を係止する爪部２６２ａが設けられている。
【００４７】
上側カバー部２６６は、平面視形状が後側カバー部２６２の平面視形状と同じ形状の下側に開口する箱状に形成されている。
縦枠カバー部２６１および後側カバー部２６２の上部、上側カバー部２６６の内部には、第１下側壁固定金具３３が配置される。第１下側端部キャップ２６と第１下側壁固定金具３３の配置については後述する。
第１下側端部キャップ２６は、後側カバー部２６２の見込み方向の奥側の端部２６２ｂ、および上側カバー部２６６の見込み方向の奥側の端部２６６ａが外壁１１と当接するように配置される。
【００４８】
図６、図１６および図１７に示すように、第１上側壁固定金具３１は、第１ブラインド縦枠２２（図６参照）と固定される縦枠固定部３１１と、縦枠固定部３１１と連設されブラインド上枠２１（図６参照）と固定される上枠固定部３１２と、縦枠固定部３１１と連設され外壁１１（図６参照）に固定される壁固定部３１３と、を有している。
【００４９】
図６に示すように、縦枠固定部３１１は、板状に形成され、板面が左右方向を向く姿勢で、第１ブラインド縦枠２２および第１上側端部キャップ２４の第２側板部２４４の右側に配置される。
縦枠固定部３１１は、見込み方向の奥側の縁部が第１上側端部キャップ２４の第２側板部２４４の見込み方向の奥側の縁部の右側に重なって配置され、見込み方向の手前側の縁部が第１上側端部キャップ２４の第１側板部２４３の右側に重なって配置される。縦枠固定部３１１は、見込み方向の奥側の縁部３１１ａが外壁１１と当接するように配置される。
【００５０】
図６、図１６および図１７に示すように、縦枠固定部３１１は、見込み方向の奥側における下端部に、右側に突出する第１突出片３１１ｂが設けられている。第１突出片３１１ｂは、第１上側端部キャップ２４の第２側板部２４４の第２突出片２４４ａ上側に配置される。
第１突出片３１１ｂは、下側に後述するボトムブラケット５４の突出部５４２および第１上側端部キャップ２４の第２側板部２４４から突出する第２突出片２４４ａが重なって配置され、これらがネジなどの固定具で固定されるように構成されている。
縦枠固定部３１１は、見込み方向の手前側における下端部に、右側に突出する第２突出片３１１ｃが設けられている。第２突出片３１１ｃは、下側に上枠前板部５３の第２突出片が重なり、ネジなどの固定具で固定されるように構成されている。
縦枠固定部３１１は、見込み方向の手前側における下端部に、第２突出片３１１ｃよりも見込み方向の奥側に左側に突出する第３突出片３１１ｄが設けられている。第３突出片３１１ｄは、第１ブラインド縦枠２２の第２内板部２２６に形成された第１孔部２２６ａ（図６参照）に挿入されるように構成されている。
【００５１】
本実施形態では、縦枠固定部３１１は、前後方向の中間部における下部側に下側に開口する切り欠き部３１１ｅが形成されている。図６に示すように、縦枠固定部３１１における切り欠き部３１１ｅおよび切り欠き部３１１ｅよりも上側の部分３１１ｇは、第１ブラインド縦枠２２の溝部２３０の上端部分の右側に重なるように配置される。なお、縦枠固定部３１１は、溝部２３０（ガイドレール２３１）の上端部分に跨るように設けられているが、ガイドレール２３１に沿って上側に移動したガイドピンが切り欠き部３１１ｅよりも上側の部分３１１ｇの下縁部と当たらないように構成されている。なお、ガイドレール２３１に沿って上側に移動したガイドピンが切り欠き部３１１ｅよりも上側の部分３１１ｇの下縁部と当たるように構成されていてもよい。
切り欠き部３１１ｅよりも上側の部分３１１ｇは、ガイドレール２３１に設けられた滑り材２３２と干渉しないように、縦枠固定部３１１における切り欠き部３１１ｅよりも上側の部分３１１ｇ以外の部分よりも第１ブラインド縦枠２２から離れる側（右側）に配置されている。
【００５２】
縦枠固定部３１１における切り欠き部３１１ｅよりも奥行き方向の手前側の部分を固定板部３１１ｈとする。固定板部３１１ｈには、第１上側壁固定金具３１を第１ブラインド縦枠２２に固定するための固定具６１（図２、図６参照）が挿通される２つの孔部３１１ｉ，３１１ｉが形成されている。
図１８に示すように、縦枠固定部３１１は、固定板部３１１ｈが第１ブラインド縦枠２２の第２内板部２２６の右側（ブラインド枠部２の内周側）に重なって配置され、ネジなどの固定具６１で第２内板部２２６および金属板２８に右側から固定される。固定板部３１１ｈの２つの孔部３１１ｉ，３１１ｉと、第２内板部２２６の第３孔部２２６ｃ，２２６ｃとは重なって配置され、重なった孔部に固定具６１が挿通される。
図１８に示すように、固定具６１の先端部６１ａは、第１ブラインド縦枠２２の第２中空部２２９に配置され、第１ブラインド縦枠２２の外板部２２１を貫通しないように構成されている。
【００５３】
上枠固定部３１２は、板状に形成され、板面が水平面となる姿勢で、ブラインド上枠２１の第１上枠部５１および第２上枠部５２の下側に配置される。
上枠固定部３１２は、ブラインド上枠２１の第１上枠部５１の第１上枠下板部５１２とネジなどの固定具で上枠固定部３１２の下側から固定される。固定具の先端部は、ブラインド上枠２１の第１上枠部５１の上枠中空部５１６に配置され、第１上枠部５１の第１上枠上板部５１１を貫通しないように構成されている。
上枠固定部３１２は、後述するブラケット４３が下側から連結されている。
【００５４】
壁固定部３１３は、板状に形成され、縦枠固定部３１１の後縁部における上下方向の中間部分から左側に突出している。壁固定部３１３は、板面が見込み方向を向く姿勢で、見込み方向の奥側の面が外壁１１と当接した状態で外壁１１にネジなどの固定具で固定される。壁固定部３１３は、ブラインド上枠２１の第１上枠部５１の壁固定片５１５（図６参照）の下側に配置される。
【００５５】
ブラインド枠部２を外壁１１に取り付ける際には、連結されたブラインド上枠２１の第１上枠部５１および第２上枠部５２と、第１上枠部５１に固定された第１上側壁固定金具３１および第２上側壁固定金具３２と、第１上側壁固定金具３１および第２上側壁固定金具３２に連結されたブラケット４３と、が一体となったユニットケース７１を外壁１１に固定するように構成されている。
図６に示すように、ユニットケース７１は、外壁１１に直接固定されるとともに、外壁１１に固定されたボトムブラケット５４（図６参照）に固定される。
ボトムブラケット５４は、サッシ上枠１３３の間隔をあけた上側に外壁１１と当接して固定される。ボトムブラケット５４は、ブラインド上枠２１の第１上枠部５１の下側に第１上枠部５１と間隔をあけて配置される。
ボトムブラケット５４は、左右方向に延びる部材で、外壁１１に固定される壁固定部５４１と、壁固定部５４１から見込み方向の手前側に突出する突出部５４２と、を有している。
【００５６】
図１３および図１５に示すように、第１下側壁固定金具３３は、外壁１１に固定される壁側固定金具３３１と、壁側固定金具３３１と連結され第１ブラインド縦枠２２および第１下側端部キャップ２６と固定される縦枠側固定金具３３２と、を有している。
【００５７】
壁側固定金具３３１は、外壁１１に固定される壁固定部３３３と、壁固定部３３３と接続され、縦枠側固定金具３３２と連結される連結部３３４と、を有している。
壁固定部３３３は、平板状に形成され、板面が見込み方向を向く向きに配置される。連結部３３４は、壁固定部３３３の下縁部から見込み方向の手前側に延びる第１片３３４ａと、第１片の見込み方向の手前側の縁部から下側に延びる第２片３３４ｂと、を有している。
【００５８】
縦枠側固定金具３３２は、第１ブラインド縦枠２２および第１下側端部キャップ２６と固定される縦枠固定部３３５と、壁側固定金具３３１と連結される連結部３３６と、縦枠固定部３３５と連結部３３６とを接続する接続部３３７と、を有している。
接続部３３７は、見込み方向に延びる部材で、第１下側端部キャップ２６の縦枠カバー部２６１の内部に配置される。
縦枠固定部３３５は、接続部３３７から上側に突出していて、板面が左右方向を向く平板状に形成されている。縦枠固定部３３５は、第１ブラインド縦枠２２の第１内板部２２３および第１下側端部キャップ２６の固定片２６３と固定される。縦枠固定部３３５には、縦枠固定部３３５は、第１ブラインド縦枠２２の第１内板部２２３および第１下側端部キャップ２６の固定片２６３を固定する固定具６２が挿通される孔部３３５ａが形成されている。
連結部３３６は、接続部３３７から上側に突出する第３片３３６ａと、第３片３３６ａの見込み方向の奥側の縁部から右側に突出する第４片３３６ｂと、を有している。連結部３３６は、縦枠固定部３３５よりも見込み方向の奥側に配置されている。
壁側固定金具３３１と、縦枠側固定金具３３２とは、壁側固定金具３３１の連結部３３４の第２片３３４ｂと、縦枠側固定金具３３２の連結部３３６の第４片３３６ｂとが連結されている。
【００５９】
縦枠固定部３３５は、第１下側端部キャップ２６の縦枠カバー部２６１の上側に配置され、第１下側端部キャップ２６の固定片２６３と、第１ブラインド縦枠２２の第１内板部２２３との間に配置される。
図１９に示すように、縦枠固定部３３５は、第１下側端部キャップ２６の固定片２６３および第１ブラインド縦枠２２の第１内板部２２３と、第１下側端部キャップ２６の固定片２６３の右側からネジなどの固定具６２で固定されている。縦枠固定部３３５の孔部３３５ａと、固定片２６３の孔部２６３ａと、第１内板部２２３の孔部２２３ａとは重なり、重なった孔部に固定具６２が挿通される。
固定具６２の先端部６２ａは、第１ブラインド縦枠２２の第２中空部２２９に配置され、第１ブラインド縦枠２２の外板部２２１を貫通しないように構成されている。
【００６０】
壁側固定金具３３１および縦枠側固定金具３３２の連結部３３６は、第１下側端部キャップ２６の縦枠カバー部２６１の上側に配置されている。壁側固定金具３３１および縦枠側固定金具３３２の連結部３３６は、上側から上側カバー部２６６に覆われる。
縦枠側固定金具３３２の連結部３３６の第３片３３６ａは、縦枠カバー部２６１の延設部２６４の上側に配置されている。縦枠側固定金具３３２の連結部３３６の第４片３６３ｂおよび壁側固定金具３３１は、縦枠カバー部２６１の内側突出部２６５の上側に配置されている。
壁側固定金具３３１の壁固定部３３３は、後側カバー部２６２の内側突出部２６５の見込み方向の奥側の縁部の上側に配置されている。
壁側固定金具３３１は、ネジなどの固定具で外壁１１に固定されるように構成されている。
【００６１】
図２に示すように、ブラインド本体部４は、ブラインド枠部２の内側において上下方向に移動可能な多数のスラット４１と、多数のスラット４１が取り付けられたブラインドボックス４２と、第１上側壁固定金具３１および第２上側壁固定金具３２に連結して設けられブラインドボックス４２を支持するブラケット４３と、を有している。
【００６２】
スラット４１は、円弧板状に形成され左右方向に延びる向きに配置されている。上下方向に配列された複数のスラット４１は、コード（不図示）で繋がれている。複数のスラット４１の下側には、幅方向に延びる巾木４４（図２参照）が設けられている。巾木４４も複数のスラット４１とともにコードで繋がれている。
巾木４４には、幅方向の両端部にガイドレール２３１に挿入されるガイドピンが取り付けられている。
【００６３】
複数のスラット４１には、幅方向のいずれか一方の端部にガイドレール２３１に挿入されるガイドピンが取り付けられている。幅方向の一方側の端部にガイドピンが取り付けられたスラット４１と、幅方向の他方側の端部にガイドピンが取り付けられたスラット４１とが、交互に配列されている。
複数のスラット４１は、円弧面に沿った方向の一方の縁部が前側、他方の縁部が後側となるように配置されている。複数のスラット４１は、前側と後側の高さを変えるようにして角度を調整可能に構成されている。第１ブラインド縦枠２２および第２ブラインド縦枠２３は、ガイドレール２３１が設けられている領域において、スラット４１の前後方向の寸法よりも前後方向に長く形成されている。
【００６４】
ブラインドボックス４２は、長尺の部材で、幅方向に延びる姿勢に配置されている。ブラインドボックス４２は、幅方向（長さ方向）に直交する断面形状が上側に開口するＣ字形状に形成されている。ブラインドボックス４２には、複数のスラット４１および巾木４４をつなぐコードが取り付けられている。
ブラインドボックス４２、ブラインドボックス４２に取り付けられた複数のスラット４１および巾木４４を合わせてブラインドユニット７２とする。
【００６５】
図２、図６および図２０に示すように、ブラケット４３は、第１上側壁固定金具３１の上枠固定部３１２の下側に接合され下側に開口するＣ字形状の本体部４３１と、本体部４３１の下部に取り付けられた開閉部４３２と、を有している。
図２０に示すように、本体部４３１は、前後方向に延びる長尺の板状に形成され板面が水平面となる向きに配置される上板部４３３と、上板部４３３の見込み方向の手前側の端部から下側に延びる前板部４３４と、上板部４３３の見込み方向の奥側の端部から下側に延びる後板部４３５と、を有している。
後板部４３５の下縁部には、後側に突出する突出片４３６が一体に設けられている。
前板部４３４の下端部近傍には、左側に開口する切り欠き部４３４ａが形成されている。
本体部４３１の上板部４３３、前板部４３４および後板部４３５に囲まれた空部には、ブラインドボックス４２が収容されるように構成されている。この空部をブラインドボックス収容部４３７とする。
【００６６】
開閉部４３２は、長尺の板状に形成され、板面が水平面となる向きに配置される。開閉部４３２は、長さ方向の一方の端部が後板部４３５の突出片４３６に連結されている。突出片４３６に連結された開閉部４３２は、突出片４３６および開閉部４３２の一方の端部の位置に設けられた上下方向に延びる軸線回りに回転可能に構成されている。
開閉部４３２の長さ方向の他方の端部近傍には、切込み部４３２ａが形成されている。
【００６７】
開閉部４３２の他方の端部が一方の端部の見込み方向の手前側に配置され、開閉部４３２が見込み方向に延びる姿勢となると、開閉部４３２の切込み部４３２ａが本体部４３１の切り欠き部４３４ａと嵌合し、開閉部４３２が本体部４３１のブラインドボックス収容部４３７の下側を塞ぐように構成されている。
これに対し、開閉部４３２の他方の端部が一方の端部の右側または左側に配置され、開閉部４３２が左右方向に延びる姿勢となると、開閉部４３２が本体部４３１のブラインドボックス収容部４３７の下側に配置されず、ブラインドボックス収容部４３７が下側に開口された状態となる。
開閉部４３２が水平に回転することで、ブラインドボックス収容部４３７を閉じた状態と開口した状態とに切り替えることができる。
ブラケット４３は、本体部４３１の上板部４３３が第１上側壁固定金具３１および第２上側壁固定金具３２の上枠固定部３１２の下側にネジなどの固定具で固定されている。
【００６８】
続いて、ブラインド装置１の外壁１１への取り付け方法について説明する。
まず、ボトムブラケット５４を外壁１１に固定する。
ボトムブラケット５４をサッシ上枠１３３の上方にサッシ上枠１３３と間隔をあけて配置し、壁固定部５４１を外壁１１に当接させて固定する。
【００６９】
続いて、ユニットケース７１をボトムブラケット５４に仮固定し、外壁１１に固定する。
ユニットケース７１の第１上側壁固定金具３１を開口部１２の左側におけるブラインド上枠２１の上方となる高さ位置に配置し、第２上側壁固定金具３２を開口部１２の右側におけるブラインド上枠２１の上方となる高さ位置に配置する。第１上側壁固定金具３１および第２上側壁固定金具３２の壁固定部３１３を外壁１１と当接させるとともに、第１突出片３１１ｂを、ボトムブラケット５４の突出部５４２の上面に当接させてネジなどの固定具で仮固定する。
第１上側壁固定金具３１および第２上側壁固定金具３２の壁固定部３１３をネジなどの固定具で外壁１１に固定する。第１上側壁固定金具３１および第２上側壁固定金具３２を外壁１１に固定したら、第１上側壁固定金具３１および第２上側壁固定金具３２のボトムブラケット５４への仮固定を外す。
【００７０】
続いて、ブラインドユニット７２をユニットケース７１のブラケット４３に取り付ける。
ブラケット４３の開閉部４３２を回転させ、ボックス収容部を下側に開口した状態とする。ブラインドユニット７２のブラインドボックス４２を下側からブラケット４３に挿入し、開閉部４３２を回転させてブラインドボックス収容部４３７を閉じた状態とする。これにより、ブラインドユニット７２がブラケット４３に支持される。このとき、ブラインドボックス４２の両端部は、第１上側壁固定金具３１の縦枠固定部３１１および第２上側壁固定金具３２の縦枠固定部３１１と当接することにより、左右方向の正位置に配置されたことになる。
ブラインドユニット７２をブラケット４３に取り付ける際には、ブラインドユニット７２の複数のスラット４１および巾木４４は、束ねられた状態とすることが好ましい。
【００７１】
続いて、ユニットケース７１の右側端部に第１上側端部キャップ２４を取り付けるとともに、左側端部に第２上側端部キャップ２５を取り付ける。
第１上側端部キャップ２４の第２側板部２４４を第１上側壁固定金具３１の縦枠固定部３１１の左側に配置し、第１上側端部キャップ２４の第２側板部２４４を第１上側壁固定金具３１の縦枠固定部３１１に固定する。第１上側端部キャップ２４の第２側板部２４４を第１上側壁固定金具３１の第１突出片３１１ｂおよびボトムブラケット５４の突出部５４２の下側に配置し、第１上側端部キャップ２４の第２側板部２４４、第１上側壁固定金具３１の第１突出片３１１ｂおよびボトムブラケット５４の突出部５４２をネジなどの固定具で固定する。
第２上側端部キャップ２５についても第１上側端部キャップ２４と同様にユニットケース７１に固定する。
【００７２】
続いて、ユニットケース７１に第１ブラインド縦枠２２および第２ブラインド縦枠２３を固定する。
第１ブラインド縦枠２２の上端部を第１上側端部キャップ２４の上枠カバー部２４１に下側から挿し込み、第１ブラインド縦枠２２を上枠カバー部２４１の下側に配置するとともに、第１ブラインド縦枠２２の第１孔部２２６ａに第１上側壁固定金具３１の第３突出片３１１ｄを挿入する。これにより、第１ブラインド縦枠２２が位置決めされる。
このとき、ブラインドユニット７２のスラット４１のガイドピンをガイドレール２３１に挿入し、スラット４１をガイドレール２３１に沿って上下方向に移動可能な状態とする。
第１上側壁固定金具３１の縦枠固定部３１１と第１ブラインド縦枠２２の第２内板部２２６および金属板２８とを、ネジなどの固定具６１で縦枠固定部３１１の右側から固定する。上述しているが、固定具６１の先端部６１ａは、第１ブラインド縦枠２２の第２中空部２２９に配置され、第１ブラインド縦枠２２の外板部２２１を貫通しない。
第２ブラインド縦枠２３についても第１ブラインド縦枠２２と同様にユニットケース７１に固定する。
スラット４１の昇降やスラット４１の角度調整のためケーブルやバーを適宜設置する。また、スラット４１の昇降やスラット４１の角度調整を電動で行う場合は、電源との接続を適宜行う。
【００７３】
続いて、第１ブラインド縦枠２２の下端部に第１下側端部キャップ２６および第１下側壁固定金具３３を取り付けるとともに、第２ブラインド縦枠２３の下端部に第２下側端部キャップ２７および第２下側壁固定金具３４を取り付ける。
第１下側壁固定金具３３を第１下側端部キャップ２６の上側に配置するとともに、第１下側端部キャップ２６の上側に第１ブラインド縦枠２２を配置し、第１下側壁固定金具３３の縦枠固定部３３５を、第１下側端部キャップ２６の固定片２６３と、第１ブラインド縦枠２２の第１内板部２２３との間に配置し、第１内板部２２３、縦枠固定部３３５、固定片２６３を固定片２６３の右側からネジなどの固定具６２で固定する。上述しているが、固定具６２の先端部６２ａは、第１ブラインド縦枠２２の第２中空部２２９に配置され、第１ブラインド縦枠２２の外板部２２１を貫通しない。
【００７４】
続いて、第１下側壁固定金具３３および第２下側壁固定金具３４を外壁１１に固定する。
第１下側壁固定金具３３を開口部１２の左側におけるサッシ１３下枠の下方となる高さ位置に固定し、第２下側壁固定金具３４を開口部１２の右側におけるサッシ１３下枠の下方となる高さ位置に固定する。第１下側壁固定金具３３および第２下側壁固定金具３４の壁側固定金具３３１を外壁１１と当接させ、壁側固定金具３３１をネジなどの固定具で固定する。
【００７５】
続いて、上側カバー部２６６を取り付ける。
第１下側端部キャップ２６の後側カバー部２６２、および第１下側壁固定金具３３の壁側固定金具３３１の上部に上側カバー部２６６を取り付ける。上側カバー部２６６は、第１下側端部キャップ２６の後側カバー部２６２、および第１下側壁固定金具３３の壁側固定金具３３１の上側から下側に下降させ、上側カバー部２６６の下端部分を後側カバー部２６２の爪部２６２ａと係合させる。
同様に、第２下側端部キャップ２７の後側カバー部２６２、および第２下側壁固定金具３４の壁側固定金具３３１の上部に上側カバー部２６６を取り付ける。
【００７６】
続いて、ブラインド上枠２１の上枠前板部５３をユニットケース７１に取り付ける。
上枠前板部５３の被係止部５３２を、第２上枠部５２の第２上枠前板部５２３の第４片５２３ｂに引っ掛けるとともに、第２上枠部５２の第２上枠中板部５２４の第６片５２４ｂの上側に載置する。これにより、上枠前板部５３が第２上枠部５２に係止される。このとき、上枠前板部５３の本体部５３１は、上縁部分が第２上枠部５２の第２上枠中板部５２４の第７片５２４ｃの見込み方向の前側の面に当接し、板面が見込み方向を向いている。
このようにしてブラインド装置１が設置される。
【００７７】
次に、上述した本実施形態によるブラインド装置１の作用・効果について図面を用いて説明する。
上述した本実施形態によるブラインド装置１では、第１ブラインド縦枠２２および第２ブラインド縦枠２３（一対の縦枠）は、外壁１１に直接固定されず、ブラインドボックス４２を支持する壁固定金具３を介して外壁１１に固定されるため、第１ブラインド縦枠２２および第２ブラインド縦枠２３を容易に設置することができ、ブラインド枠部２（枠部）の設置を容易に行うことができる。また、第１ブラインド縦枠２２および第２ブラインド縦枠２３は、外壁１１に直接固定されないとともに、第２内板部２２６（内板部）が内側から壁固定金具３と固定されていることにより、第１ブラインド縦枠２２および第２ブラインド縦枠２３と壁固定金具３とを固定する固定具が外板部２２１から露出せず、意匠性を向上させることができる。
【００７８】
第１ブラインド縦枠２２および第２ブラインド縦枠２３には、外板部２２１と第２内板部２２６との間に第２中空部２２９（間隙）が設けられており、第２内板部２２６を壁固定金具３を介して内周側から固定する固定具６１の先端部６１ａ（一端）は、第２中空部２２９に配置されている。これにより、固定具６１が内板部２２６を貫通しても外板部２２１を貫通して外板部２２１の外側に露出することがないため、ブラインド装置１の意匠性を向上させることができる。
【００７９】
第１ブラインド縦枠２２および第２ブラインド縦枠２３には、壁固定金具３を固定する固定具６１を締結する金属板２８が第２中空部２２９に配置されていることにより、第１ブラインド縦枠２２および第２ブラインド縦枠２３と壁固定金具３とを確実に固定することができる。
【００８０】
ブラインド装置１は、枠部が下枠のない三方枠となるため、下枠のある四方枠と比べて圧迫感が少なく、意匠性を向上させることができる。また、下枠の製作や取り付けにかかる労力や費用を削減することができる。
【００８１】
以上、本発明によるブラインド装置の実施形態について説明したが、本発明は上記の実施形態に限定されるものではなく、その趣旨を逸脱しない範囲で適宜変更可能である。
例えば、上記の実施形態では、第１ブラインド縦枠２２および第２ブラインド縦枠２３には、外板部２２１と第２内板部２２６との間に第２中空部２２９（間隙）が設けられており、第２内板部２２６を壁固定金具３を介して内周側から固定する固定具６１の先端部６１ａ（一端）は、第２中空部２２９に配置されている。これに対し、第１ブラインド縦枠２２および第２ブラインド縦枠２３には、外板部２２１と第２内板部２２６との間に第２中空部２２９が設けられていなくてもよい。
【００８２】
また、上記の実施形態では、第１ブラインド縦枠２２および第２ブラインド縦枠２３には、壁固定金具３を固定する固定具６１を締結する金属板２８が第２中空部２２９に設けられているが、このような金属板２８が設けられていなくてもよい。
また、上記の実施形態では、ブラインド枠部２は、三方枠であるが、四方枠であってもよい。
【００８３】
また、上記の実施形態では、ブラインドボックス４２を取り付けるブラケット４３にブラインドボックス収容部４３７を開閉する開閉部４３２が設けられていて、ブラケット４３のブラインドボックス収容部４３７を下側に開口して、ブラケット４３に対して下側からブラインドボックス４２を取り付けている。これに対して、ブラケット４３は、ブラインドボックス４２を側方から挿し込み可能に構成されていてもよい。このようにすることにより、ブラケット４３に対してブラインドボックス４２を容易に設置することができる。
また、上記の実施形態では、ブラインドボックス４２を第１上側壁固定金具３１および第２上側壁固定金具３２の縦枠固定部３１１に当接させることで左右方向の位置決めを行っているが、ブラインドボックス４２の左右方向の位置決め部材として上記以外の部材が設けられていてもよいし、特に左右方向の位置決め部材が設けられていなくてもよい。
【００８４】
また、上記の実施形態では、サッシ１３は、片引き戸であるが、両引き戸であってもよい。
また、上記の実施形態では、第１ブラインド縦枠２２および第２ブラインド縦枠２３は、外壁１１と離間しているが、外壁１１と当接していてもよい。また、第１ブラインド縦枠２２および第２ブラインド縦枠２３は、外壁１１に直接固定されていてもよい。
また、上記の実施形態では、第１ブラインド縦枠２２および第２ブラインド縦枠２３は、見込み方向の寸法がスラット４１の見込み方向の寸法よりも大きく設定されているが、第１ブラインド縦枠２２および第２ブラインド縦枠２３の見込み方向の寸法は適宜設定されてよい。
【符号の説明】
【００８５】
１  ブラインド装置
２  ブラインド枠部（枠部）
３  壁固定金具
１１  外壁
１２  開口部
１３  サッシ
２１  ブラインド上枠
２２  第１ブラインド縦枠（縦枠）
２３  第２ブラインド縦枠（縦枠）
３１  第１上側壁固定金具
３２  第２上側壁固定金具
３３  第１下側壁固定金具
３４  第２下側壁固定金具
４１  スラット
４２  ブラインドボックス
４３  ブラケット
２２１  外板部
２２６  第２内板部(内板部)
２２９  第２中空部（間隙）
２３１  ガイドレール
【図１】
2020114976.tif 000003
【図２】
2020114976.tif 000004
【図３】
2020114976.tif 000005
【図４】
2020114976.tif 000006
【図５】
2020114976.tif 000007
【図６】
2020114976.tif 000008
【図７】
2020114976.tif 000009
【図８】
2020114976.tif 000010
【図９】
2020114976.tif 000011
【図１０】
2020114976.tif 000012
【図１１】
2020114976.tif 000013
【図１２】
2020114976.tif 000014
【図１３】
2020114976.tif 000015
【図１４】
2020114976.tif 000016
【図１５】
2020114976.tif 000017
【図１６】
2020114976.tif 000018
【図１７】
2020114976.tif 000019
【図１８】
2020114976.tif 000020
【図１９】
2020114976.tif 000021
【図２０】
2020114976.tif 000022